(57)【要約】【課題】  簡易な作業により動画中の対象物の領域を設定することを可能とする、動画マニュアル作成を支援する技術を提供する。【解決手段】  動画を再生する情報処理装置において、動画に付随する領域情報を生成する動画マニュアル作成支援方法であって、領域の形状に関する情報の登録を受け付けるステップと、動画の再生中に、動画を再生している画面上の点の指示を受け付けるステップと、前記画面上の点の指示を受け付けた時刻情報と、前記画面上の点の指示に対応する位置情報とを関連付けて、前記領域の形状に関する情報とともに記憶するステップとを有することを特徴とする動画マニュアル作成支援方法。【選択図】  図２
2005141357.tif 000002
【特許請求の範囲】
【請求項１】
動画を再生する情報処理装置において、動画に付随する領域情報を生成する動画マニュアル作成支援方法であって、
領域の形状に関する情報の登録を受け付けるステップと、
動画の再生中に、動画を再生している画面上の点の指示を受け付けるステップと、
前記画面上の点の指示を受け付けた時刻情報と、前記画面上の点の指示に対応する位置情報とを関連付けて、前記領域の形状に関する情報とともに記憶するステップとを有することを特徴とする動画マニュアル作成支援方法。
【請求項２】
動画を再生する情報処理装置において、動画に付随する領域情報を生成する動画マニュアル作成支援方法であって、
動画の再生中に、動画を再生している画面上の点の指示を受け付けるステップと、
前記画面上の点の指示を受け付けた点を含む領域の輪郭を、あらかじめ定められた基準に従って定めるステップと、
前記輪郭の形状に関する情報および位置情報を算出するステップと、
前記画面上の点の指示を受け付けた時刻情報と、前記算出した輪郭の形状に関する情報および位置情報とを関連付けて記憶するステップとを有することを特徴とする動画マニュアル作成支援方法。
【請求項３】
動画を再生する情報処理装置において、動画に付随する領域情報を生成する動画マニュアル作成支援方法であって、
時刻情報と動画中の領域を示す形状に関する情報と前記領域の位置情報とが記録された領域情報に基づいて定められる領域の輪郭を前記動画の再生に重畳して表示するステップと、
動画の再生中に、動画を再生している画面上の点の指示を受け付けるステップと、
前記画面上の点の指示を受け付けた時刻情報と、前記画面上の点の指示に対応する位置情報とに基づいて、前記領域情報を修正するステップとを有することを特徴とする動画マニュアル作成支援方法。
【請求項４】
動画を再生する情報処理装置において、動画に付随する領域情報を生成する動画マニュアル作成支援方法であって、
時刻情報と動画中の領域を示す形状に関する情報と前記領域の位置情報とが記録された領域情報に基づいて定められる領域の輪郭を前記動画の再生に重畳して表示するステップと、
動画の再生中に、動画を再生している画面上の点の指示を受け付けるステップと、
前記画面上の点の指示を受け付けた点を含む領域の輪郭を、あらかじめ定められた基準に従って定めるステップと、
前記輪郭の形状に関する情報および位置情報を算出するステップと、
前記画面上の点の指示を受け付けた時刻情報と、前記算出した輪郭の形状に関する情報および位置情報とに基づいて、前記領域情報を修正するステップとを有することを特徴とする動画マニュアル作成支援方法。
【請求項５】
動画を再生する情報処理装置であって、
領域の形状に関する情報の登録を受け付ける手段と、
動画の再生中に、動画を再生している画面上の点の指示を受け付ける手段と、
前記画面上の点の指示を受け付けた時刻情報と、前記画面上の点の指示に対応する位置情報とを関連付けて、前記領域の形状に関する情報とともに記憶し、前記動画に付随する領域情報を生成する手段とを備えることを特徴とする情報処理装置。
【請求項６】
動画を再生する情報処理装置であって、
動画の再生中に、動画を再生している画面上の点の指示を受け付ける手段と、
前記画面上の点の指示を受け付けた点を含む領域の輪郭を、あらかじめ定められた基準に従って定める手段と、
前記輪郭の形状に関する情報および位置情報を算出する手段と、
前記画面上の点の指示を受け付けた時刻情報と、前記算出した輪郭の形状に関する情報および位置情報とを関連付けて記憶し、前記動画に付随する領域情報を生成する手段とを備えることを特徴とする情報処理装置。
【請求項７】
動画を再生する情報処理装置であって、
時刻情報と動画中の領域を示す形状に関する情報と前記領域の位置情報とが記録された前記動画に付随する領域情報に基づいて定められる領域の輪郭を前記動画の再生に重畳して表示する手段と、
動画の再生中に、動画を再生している画面上の点の指示を受け付ける手段と、
前記画面上の点の指示を受け付けた時刻情報と、前記画面上の点の指示に対応する位置情報とに基づいて、前記領域情報を修正する手段とを備えることを特徴とする情報処理装置。
【請求項８】
動画を再生する情報処理装置であって、
時刻情報と動画中の領域を示す形状に関する情報と前記領域の位置情報とが記録された前記動画に付随する領域情報に基づいて定められる領域の輪郭を前記動画の再生に重畳して表示する手段と、
動画の再生中に、動画を再生している画面上の点の指示を受け付ける手段と、
前記画面上の点の指示を受け付けた点を含む領域の輪郭を、あらかじめ定められた基準に従って定める手段と、
前記輪郭の形状に関する情報および位置情報を算出する手段と、
前記画面上の点の指示を受け付けた時刻情報と、前記算出した輪郭の形状に関する情報および位置情報とに基づいて、前記領域情報を修正する手段とを備えることを特徴とする情報処理装置。
【請求項９】
動画を再生する情報処理装置に以下の処理を実行させるプログラム：
ａ）領域の形状に関する情報の登録を受け付ける処理；
ｂ）動画の再生中に、動画を再生している画面上の点の指示を受け付ける処理；
ｃ）前記画面上の点の指示を受け付けた時刻情報と、前記画面上の点の指示に対応する位置情報とを関連付けて、前記領域の形状に関する情報とともに記憶し、前記動画に付随する領域情報を生成する処理。
【請求項１０】
動画を再生する情報処理装置に以下の処理を実行させるプログラム：
ａ）動画の再生中に、動画を再生している画面上の点の指示を受け付ける処理；
ｂ）前記画面上の点の指示を受け付けた点を含む領域の輪郭を、あらかじめ定められた基準に従って定める処理；
ｃ）前記輪郭の形状に関する情報および位置情報を算出する処理；
ｄ）前記画面上の点の指示を受け付けた時刻情報と、前記算出した輪郭の形状に関する情報および位置情報とを関連付けて記憶し、前記動画に付随する領域情報を生成する処理。
【発明の詳細な説明】
【技術分野】
【０００１】
本発明は、動画を含む電子マニュアルの作成を支援する技術に関する。
【背景技術】
【０００２】
製品一般、特に、パーソナルコンピュータ、プリンタ等をはじめとした電子機器には、購入者にその使用方法等を知らしめるためにマニュアルが添付されている。
【０００３】
従来、マニュアルは冊子等の紙を媒体とした形態で頒布されていたが、近年では、電子情報化されてＣＤ−ＲＯＭ等を媒体として頒布されることも多くなっている。そして、このＣＤ−ＲＯＭ等をパーソナルコンピュータ等の再生装置で再生することによりマニュアルを閲覧できるようになっている。
【０００４】
電子情報化されたマニュアルは、従来の紙ベースのマニュアルと同様に、主としてテキストデータと写真、イラスト等の静止画像データとから構成されているが、所定のテキスト中の語句あるいは画像中の説明対象等（オブジェクト）をクリックすると、その語句、画像中の対象物等に関する説明が表示されたり、関連する他のページに移動等するようになっていて、マニュアルの使用勝手が高められている。
【０００５】
このため、電子マニュアルを作成する際には、あらかじめオブジェクトを設定して、動作等を関連付けておくようにする。特に静止画像中の対象物をオブジェクトとして設定する場合には、その対象物の輪郭に囲まれた領域をオブジェクトとして定義して他の領域と区別できるようにする。
【０００６】
一般に、画像中のある領域をオブジェクトとして定義する処理は、その領域の形状と位置とをオペレータが認識し、所定のフォーマットで記録することにより行なわれる。
【０００７】
近年では、静止画像に加え、動画を含んだ電子マニュアル（以下、「動画マニュアル」と称す）が実用化され、操作手順、説明対象物等を動画で示すことにより、マニュアルの内容が一層わかりやすくなっている。
【０００８】
なお、動画マニュアルに関する技術については、特許文献１、特許文献２等において提案されている。
【０００９】
【特許文献１】特開平８−３２０８７６号公報
【００１０】
【特許文献２】特開平１１−５３３７７号公報
【発明の開示】
【発明が解決しようとする課題】
【００１１】
動画マニュアルにおいても、動画中の対象物をクリックするとその説明が表示されたり、関連する他のページに移動することができれば便利である。このためには、静止画と同様に動画中の対象物の輪郭に囲まれた領域をオブジェクトとして定義する必要がある。
【００１２】
ところが、動画では再生中に対象物が移動することが多いため、オペレータは対象物が移動するたびに動画の再生を止め、その時刻における対象物の形状と位置とを記録しなければならない。
【００１３】
このため、動画マニュアル作成には長い時間と煩雑な作業とを要し、オペレータの負担が大きかった。
【００１４】
本発明は、簡易な作業により動画中の対象物の領域を設定することを可能とする、動画マニュアル作成を支援する技術を提供することを目的とする。
【課題を解決するための手段】
【００１５】
上記課題を解決するため、本発明の第１の態様によれば、
動画を再生する情報処理装置において、動画に付随する領域情報を生成する動画マニュアル作成支援方法であって、
領域の形状に関する情報の登録を受け付けるステップと、
動画の再生中に、動画を再生している画面上の点の指示を受け付けるステップと、
前記画面上の点の指示を受け付けた時刻情報と、前記画面上の点の指示に対応する位置情報とを関連付けて、前記領域の形状に関する情報とともに記憶するステップとを有することを特徴とする動画マニュアル作成支援方法が提供される。
【００１６】
また、本発明の第２の態様によれば、動画を再生する情報処理装置において、動画に付随する領域情報を生成する動画マニュアル作成支援方法であって、
動画の再生中に、動画を再生している画面上の点の指示を受け付けるステップと、
前記画面上の点の指示を受け付けた点を含む領域の輪郭を、あらかじめ定められた基準に従って定めるステップと、
前記輪郭の形状に関する情報および位置情報を算出するステップと、
前記画面上の点の指示を受け付けた時刻情報と、前記算出した輪郭の形状に関する情報および位置情報とを関連付けて記憶するステップとを有することを特徴とする動画マニュアル作成支援方法が提供される。
【００１７】
さらに、上記課題を解決するため、本発明の第３の態様によれば、
動画を再生する情報処理装置において、動画に付随する領域情報を生成する動画マニュアル作成支援方法であって、
時刻情報と動画中の領域を示す形状に関する情報と前記領域の位置情報とが記録された領域情報に基づいて定められる領域の輪郭を前記動画の再生に重畳して表示するステップと、
動画の再生中に、動画を再生している画面上の点の指示を受け付けるステップと、
前記画面上の点の指示を受け付けた時刻情報と、前記画面上の点の指示に対応する位置情報とに基づいて、前記領域情報を修正するステップとを有することを特徴とする動画マニュアル作成支援方法、および、
動画を再生する情報処理装置において、動画に付随する領域情報を生成する動画マニュアル作成支援方法であって、
時刻情報と動画中の領域を示す形状に関する情報と前記領域の位置情報とが記録された領域情報に基づいて定められる領域の輪郭を前記動画の再生に重畳して表示するステップと、
動画の再生中に、動画を再生している画面上の点の指示を受け付けるステップと、
前記画面上の点の指示を受け付けた点を含む領域の輪郭を、あらかじめ定められた基準に従って定めるステップと、
前記輪郭の形状に関する情報および位置情報を算出するステップと、
前記画面上の点の指示を受け付けた時刻情報と、前記算出した輪郭の形状に関する情報および位置情報とに基づいて、前記領域情報を修正するステップとを有することを特徴とする動画マニュアル作成支援方法が提供される。
【発明を実施するための最良の形態】
【００１８】
本発明の実施の形態について図面を参照して説明する。
【００１９】
図１は、本発明の実施に適した動画マニュアル作成支援システムのハードウェア構成の一例を示すブロック図である。
【００２０】
本図に示すように動画マニュアル作成支援システムは、情報処理装置１０、モニタ装置等の表示装置１１、キーボード、マウス等の入力装置１２、ハードディスク装置等の記憶装置１３を備えて構成される。情報処理装置１０は、パーソナルコンピュータ、ワークステーションその他の汎用的なコンピュータを用いることができる。ただし、動画マニュアル作成支援システムのハードウェア構成はこれに限られない。例えば、動画マニュアル作成支援のための専用装置を用いて構成してもよい。また、表示装置と入力装置とが一体化したタッチパネル式表示装置を用いたり、入力装置１２としてデジタイザ等を用いるようにしてもよい。
【００２１】
記憶装置１３には、動画データ２００が格納されている。動画データ２００は動画マニュアルに含められ、動画マニュアル閲覧時等に再生されるデータである。動画データ２００は、あらかじめ作成された状態、すなわち動画マニュアル中で再生される内容で動画マニュアル作成支援システムの記憶装置１３に格納される。
【００２２】
動画マニュアルは、動画再生時に閲覧者からマウスのクリック等により動画中の所定の領域（オブジェクト）の指示を受け付けると、そのオブジェクトに関連付けられているアクションを行なうようになっている。所定の領域、すなわち説明の対象物の輪郭で囲まれる領域をオブジェクトとして定義する情報は、動画データ２００とは別の領域情報データに記録されており、動画マニュアル作成支援システムは、この動画データ２００に付随する領域情報データを作成するための支援を行なう。ただし、領域情報を動画データ２００に付属情報として含めるようにしてもよい。
【００２３】
図２は、本発明の第１の実施例における動画マニュアル作成支援システムの機能構成を示すブロック図である。第１の実施例は、動画再生中に、その大きさ、形状が変化せずに、移動だけを行なう対象物に対する領域情報の生成に好適に用いることができる。
【００２４】
本図に示すように、動画マニュアル作成支援システムは、動画再生部１１０、指示入力部１２０、領域情報処理部１３０を備えている。
【００２５】
動画再生部１１０は、記憶装置１３に格納された動画データ２００を再生して表示装置１１に表示する処理を行う。動画データ２００の再生は、指示入力部１２０を介した操作者からの指示に基づいて開始する。記憶装置１３に複数の動画データが格納されている場合には、再生対象の動画データを特定するための情報、例えば、ファイル名も指示に含めるものとする。
【００２６】
指示入力部１２０は、操作者からの各種指示を受け付け、動画再生部１１０および領域情報処理部１３０に通知する。受け付ける指示は、例えば、動画再生開始の指示、表示装置１１の画面上のある点を特定するための指示等である。
【００２７】
領域情報処理部１３０は、動画データ２００についての領域情報データを生成するための処理を行う。このため、領域情報処理部１３０は、対象データ設定部１３１と、座標情報取得部１３２と、領域情報生成部１３３とを備えている。動画データ２００に対して、異なる複数の説明対象物についての領域情報データを生成する場合には、領域ごとに処理を行なうものとする。
【００２８】
対象データ設定部１３１は、動画データ２００中の領域情報を生成する対象となる対象物の形状に関する情報、具体的には形状とその大きさの情報を設定するための処理を行なう。
【００２９】
対象物の形状に関する情報を設定するための処理は、例えば、動画データ２００の一場面を静止画として表示装置１１に表示し、その静止画中の対象物の形状に関する情報の入力を操作者から受け付けることで行なうようにする。ここで、対象物の形状に関する情報は、対象物の形状の種別情報とパラメータ情報とすることができる。
【００３０】
種別情報は、対象物の形状の種別を指定するものであり、例えば、円、正方形、矩形、多角形等とすることができる。また、パラメータ情報は、その種別の具体的な形、大きさ等を特定するもので、入力する値は、形状の種別に応じるものとする。例えば、対象物の形状の種別が円の場合には、表示装置１１の画面上に表示されている対象物の中心点と外周上の任意の１点とをマウス等の入力装置１２で指示するようにする。また、形状の種別が正方形の場合には、対角の頂点の２点をマウス等の入力装置１２で指示するようにする。また、形状の種別が多角形の場合には、頂点の数を指定し、各頂点をマウス等の入力装置１２で指示するようにする。
【００３１】
例えば、図３（ａ）に示すように、動画の一場面に対象物が表示されている場合に、対象物の形状に関する情報を設定するとすると、形状の種別として、多角形を指定し、頂点の数を８と指定する。そして、図３（ｂ）に示すように対象物の各頂点をマウスでクリックすることにより、図３（ｃ）に示すような対象物の形状に関する情報が設定される。
【００３２】
対象データ設定部１３１は、受け付けた対象物の形状に関する情報を対象データ２８０として記憶する。
【００３３】
座標情報取得部１３２は、マウス等の入力装置１２で指示された表示装置１１の画面上の点の座標を取得し、取得した座標を動画データ２００の座標空間に変換する処理を行なう。なお、動画マニュアル作成支援システムにおいて動画データ２００の座標空間以外の基準となる座標空間を用いる場合には、その座標空間に変換する。
【００３４】
領域情報生成部１３３は、動画データ２００の再生中に表示装置１１の画面上のある点の指示を受け付けると、受け付けた時刻と、その点の座標と、対象データ２８０に記録されている対象物の領域に関する情報とから、その時刻における対象物が存在している動画中の領域を特定して領域情報２４０に記録する。
【００３５】
すなわち、オペレータは、動画データ２００の再生中の任意の時刻に、画面に表示されている対象物の特定の個所、例えば、中心点、所定の頂点、その他識別しやすい点をマウス等の入力装置１２を用いて指示するようにする。この個所は、例えば、形状の種別毎に定めておいたり、対象物の領域情報を設定する際に指定しておくことができる。ここでは、わかりやすくするために対象物の特定個所を対象物の中心部分として説明する。
【００３６】
すると、領域情報生成部１３３は、指示を受け付けた点の座標をその時刻における対象物の中心部分の位置とみなして、領域情報２４０に時刻情報とともに記録する。対象物の形状と大きさとは対象データ２８０に記録されているため、対象物の位置が取得できれば、その時刻における画像中の対象物の存在している領域を特定することができるため、動画中に対象物のオブジェクトを設定することができるようになる。
【００３７】
例えば、ある時刻ｔ１において、対象物が図３（ｄ）に示すような位置に表示されていたとする。オペレータがこの対象物を指示すると、領域情報生成部１３３は、図３（ｅ）に示すような領域情報２４０を生成する。また、時刻ｔ２において、対象物図３（ｆ）に示すような位置に移動したとする。オペレータがこの移動した対象物を指示すると、領域情報生成部１３３は、図３（ｇ）に示すような領域情報２４０を生成する。
【００３８】
時刻は、例えば、動画データ２００の再生開始時刻からの経過時間とすることができる。ただし、時刻に替え、指示を受け付けた時点の動画データ２００のフレーム番号等を用いるようにしてもよい。
【００３９】
図４は、領域情報２４０のデータフォーマットの一例を示す図である。本図に示すように、領域情報２４０は、位置と対象物の形状に関する情報、すなわち対象物の形状種別およびパラメータとを時刻毎に記録して管理する。ここで位置情報は、ｘ座標とｙ座標とを用いて表現している。なお、本実施例の場合は、対象物は形状と大きさとが変化せずに移動する場合を想定しているため、形状情報は、原則的に変化しない。このため、形状情報は、例えば、領域情報２４０のヘッダ部分に記録し、時刻毎のデータには含めないようにしてもよい。
【００４０】
つぎに、第１の実施例における動画マニュアル作成支援システムの処理について、図５のフロー図を参照して説明する。
【００４１】
本実施例では、あらかじめ、領域情報を生成する対象となる対象物の形状に関する情報をオペレータから受け付けておく（Ｓ１０１）。対象データの受付処理は、上述のように対象データ設定部１３１が行なう。
【００４２】
つぎに、指示入力部１２０を介したオペレータからの指示に基づいて動画再生部１１０が動画データ２００の再生を開始する（Ｓ１０２）。これに合わせて、領域情報生成部１３３は、動画データ２００の再生を開始してからの経過時間を計測する。
【００４３】
そして、以下に説明する処理を動画データ２００が終了するまで、動画再生を止めることなく繰り返す（Ｓ１０３）。もちろん、オペレータの指示に基づく処理の中止、中断、再実行等は可能である。
【００４４】
指示入力部１２０は、オペレータがマウス等の入力装置１２で表示装置１１の画面上の点を指示したかどうかを監視する（Ｓ１０４）。
【００４５】
オペレータからの指示を検出すると（Ｓ１０４：Ｙ）、座標情報取得部１３２が指示を受け付けた画面上の点の座標を取得する（Ｓ１０５）。このとき必要に応じて座標変換を行なう。
【００４６】
そして、領域情報生成部１３３が、オペレータから指示を受け付けた時刻、座標情報取得部１３２が取得した座標、および、必要に応じて、対象データ２８０に記録された対象物の形状に関する情報を領域情報２４０に記録する（Ｓ１０６）。
【００４７】
前述のように、これらの処理を動画が終了するまで繰り返すことにより、動画データ２００に表示される説明対象物についての領域情報２４０を簡易に生成することができる。そして、この領域情報２４０を用いることにより、動画データ２００に表示される説明対象物をオブジェクトとして設定することができるようになる。これらの処理は、動画の再生を停止させることなく行なうことができるため、オペレータの動画マニュアルの作成のための時間を節約することができる。また、オペレータは、画面上で対象物をクリックすれば足りるため、煩雑な作業が要求されない。
【００４８】
つぎに、本発明の第２の実施例について説明する。
【００４９】
図６は、本発明の第２の実施例における動画マニュアル作成支援システムの機能構成を示すブロック図である。第２の実施例も第１の実施例とほぼ同様の機能構成を用いることができるため、以下では相違点を中心に説明する。本実施例は、動画再生中に、移動のみならず、その大きさ、形状が変化する対象物に対する領域情報の生成にも用いることができる。
【００５０】
本図に示すように、動画マニュアル作成支援システムは、動画再生部１１０、指示入力部１２０、領域情報処理部２３０を備えている。
【００５１】
動画再生部１１０および指示入力部１２０は、第１の実施例と同様とすることができる。
【００５２】
領域情報処理部２３０は、輪郭検出部２３１と、輪郭情報加工部２３２と、領域情報生成部２３３とを備えている。
【００５３】
輪郭検出部２３１は、動画データ２００の再生中に画面上のある点の指示を受け付けると、その点を含む表示物の輪郭を検出する処理を行なう。輪郭の検出は、種々の手法が提案されているが、例えば、動画データ２００における指示された点の色情報と、その点の周囲の色情報との差分を算出し、所定の閾値を超えた差が認められた部分を領域の境界と判断することにより検出することにより行なうことができる。オペレータは、対象物の色分布等に応じて閾値を調整すること等により、対象物の輪郭の検出の精度を向上させることができる。ただし、輪郭検出部２３１が用いる輪郭検出手法は、この手法に限られない。
【００５４】
輪郭情報加工部２３２は、輪郭検出部２３１が検出した輪郭に基づいて、その表示物の形状と位置とを算出する。輪郭の形状は、第１の実施例における対象物の形状に関する情報と同様のフォーマットであらわすことができる。輪郭情報加工部２３２は、例えば、輪郭検出部２３１が検出した輪郭を、多角形等で近似させることにより表示物の形状を算出することができる。また、輪郭の中心位置の座標を算出して、その表示物の位置とすることができる。
【００５５】
領域情報生成部２３３は、動画データ２００の再生中に表示装置１１の画面上のある点の指示を受け付けると、受け付けた時刻と、輪郭情報加工部２３２が算出した表示物の形状と位置とを領域情報２４０に記録する。領域情報２４０のデータフォーマットは第１の実施例と同様とすることができる。
【００５６】
例えば、時刻ｔ１において、図７（ａ）の×で示す点のクリックを受け付けると、輪郭検出部２３１は、図７（ｂ）に示すような輪郭を検出し、輪郭情報加工部２３２がこの輪郭の形状と位置とを算出する。そして、領域情報生成部２３３が、これらの情報を領域情報に記録する。その後、時刻ｔ２において、対象物が移動し、オペレータが図７（ｃ）の×で示す点をクリックすると、輪郭検出部２３１は、図７（ｄ）に示すような輪郭を検出し、輪郭情報加工部２３２がこの輪郭の形状と位置とを算出する。そして、領域情報生成部２３３が、これらの情報を領域情報に記録する。
【００５７】
つぎに、第２の実施例における動画マニュアル作成支援システムの処理について、図８のフロー図を参照して説明する。
【００５８】
動画再生部１１０が、指示入力部１２０を介したオペレータからの指示に基づいて動画データ２００の再生を開始する（Ｓ２０１）。これに合わせて、領域情報生成部２３３は、動画データ２００の再生を開始してからの経過時間を計測する。
【００５９】
そして、以下に説明する処理を動画データ２００が終了するまで、動画再生を止めることなく繰り返す（Ｓ２０２）。もちろん、オペレータの指示に基づく処理の中止、中断、再実行等は可能である。
【００６０】
指示入力部１２０は、オペレータがマウス等の入力装置１２で表示装置１１の画面上の点を指示したかどうかを監視する（Ｓ２０３）。
【００６１】
オペレータからの指示を検出すると（Ｓ２０３：Ｙ）、輪郭検出部２３１が指示を受け付けた画面上の点を含む表示物の輪郭を動画データ２００から抽出する（Ｓ２０４）。
【００６２】
つぎに、輪郭情報加工部２３２が、輪郭検出部２３１が抽出した輪郭の形状と位置とを算出する（Ｓ２０５）。
【００６３】
そして、領域情報生成部２３３が、オペレータから指示を受け付けた時刻、輪郭情報加工部２３２が算出した形状および位置を領域情報２４０に記録する（Ｓ２０６）。
【００６４】
前述のように、これらの処理を動画が終了するまで繰り返すことにより、動画データ２００に表示される説明対象物についての領域情報２４０を簡易に生成することができる。そして、この領域情報２４０を用いることにより、動画データ２００に表示される説明対象物をオブジェクトとして設定することができるようになる。
【００６５】
つぎに、本発明の第３の実施例について説明する。
【００６６】
図９は、本発明の第３の実施例における動画マニュアル作成支援システムの機能構成を示すブロック図である。第３の実施例は、第１の実施例あるいは第２の実施例における動画マニュアル作成支援システムの使用勝手を高めるものである。具体的には、第１の実施例あるいは第２の実施例で作成した領域情報２４０を修正する機能を備えている。
【００６７】
本図に示すように、動画マニュアル作成支援システムは、動画再生部３１０、指示入力部１２０、領域情報処理部３３０を備えている。
【００６８】
本実施例において、領域情報処理部３３０は、領域情報再生部３３１と、領域情報修正部３３２とを備えている。
【００６９】
領域情報再生部３３１は、第１の実施例あるいは第２の実施例で生成された領域情報２４０に設定された領域を示す情報を、動画データ２００の再生に合わせて出力する。このとき、時刻情報にしたがって、領域の形状、位置を変化させる。動画再生部３１０では、動画データ２００に基づく動画に重畳して、領域情報再生部３３１から出力された領域を示す情報、具体的には領域の境界線を表示する。
【００７０】
例えば、動画データ２００における時刻ｔ１の画像が図１０（ａ）に示す表示で、領域情報２４０の時刻ｔ１に設定されている領域が図１０（ｂ）に示す形状と位置であるとすると、動画再生部３１０は、図１０（ｃ）に示すような、両者を重畳させた画像を表示する。
【００７１】
領域情報修正部３３２は、動画再生部３１０が動画データ２００と領域情報２４０とに基づく動画を再生中に、画面上のある点の指示を受け付けると、その点に基づいて、領域情報２４０の修正を行なう。
【００７２】
すなわち、実施例１に示した処理の場合には、ある時刻において、画面上のある点の指示を受け付けると、指示を受け付けた点の座標をその時刻における対象物の中心部分の位置とみなして、領域情報２４０を更新する。指示を受け付けた点に基づいて領域情報２４０に更新する処理は、実施例１において領域情報２４０に位置情報等を記録する処理と同様に行なうことができる。
【００７３】
実施例１に示した処理に従って領域情報２４０を生成した際に、オペレータの指示点のミス、あるいは、指示の不足等によって、図１０（ｄ）に示すように、動画データ２００に基づく対象物と、領域情報２４０に基づく領域とが、ある時刻において、ずれて表示される場合がある。このような場合に、オペレータは、動画データの基づいて表示されている対象物の中心部分をクリックすることにより、領域情報２４０を修正することができる。
【００７４】
また、実施例に２に示した処理の場合には、ある時刻において、画面上のある点の指示を受け付けると、その点を含む表示物の輪郭を検出して、その輪郭の形状と位置とを算出して、領域情報２４０を更新する。
【図面の簡単な説明】
【００７５】
【図１】動画マニュアル作成支援システムのハードウェア構成を示すブロック図である。
【図２】本発明の第１の実施例における動画マニュアル作成支援システムの機能構成を示すブロック図である。
【図３】本発明の第１の実施例における動画中の対象物と設定する領域とを説明する図である。
【図４】領域情報のデータフォーマットを示す図である。
【図５】第１の実施例における動画マニュアル作成支援システムの処理を示すフロー図である。
【図６】本発明の第２の実施例における動画マニュアル作成支援システムの機能構成を示すブロック図である。
【図７】本発明の第２の実施例における動画中の対象物と設定する領域とを説明する図である。
【図８】第２の実施例における動画マニュアル作成支援システムの処理を示すフロー図である。
【図９】本発明の第３の実施例における動画マニュアル作成支援システムの機能構成を示すブロック図である。
【図１０】本発明の第３の実施例における動画中の対象物と設定する領域とを説明する図である。
【符号の説明】
【００７６】
１０…情報処理装置
１１…表示装置
１２…入力装置
１３…記憶装置
１１０…動画再生部
１２０…指示入力部
１３０…領域情報処理部
１３１…対象データ設定部
１３２…座標情報取得部
１３３…領域情報生成部
２００…動画データ
２３０…領域情報処理部
２３１…輪郭検出部
２３２…輪郭情報加工部
２３３…領域情報生成部
２４０…領域情報
２８０…対象データ
３１０…動画再生部
３３０…領域情報処理部
３３１…領域情報再生部
３３２…領域情報修正部
【図１】
2005141357.tif 000003
【図２】
2005141357.tif 000004
【図３】
2005141357.tif 000005
【図４】
2005141357.tif 000006
【図５】
2005141357.tif 000007
【図６】
2005141357.tif 000008
【図７】
2005141357.tif 000009
【図８】
2005141357.tif 000010
【図９】
2005141357.tif 000011
【図１０】
2005141357.tif 000012